(57)【要約】【課題】フィルタ体を確実に固定できる電気掃除機を提供する。【解決手段】本体ケース内に集塵室１２を設ける。電動送風機の吸込側に連通する連通孔４１を集塵室１２に貫通して設ける。連通孔４１の集塵室１２側を覆うように、フィルタ体４２を上側から下側に向けてスライドさせて取り付ける。フィルタ体４２を繰り返し着脱させてもフィルタ体４２の固定が弱くなることがなく、フィルタ体４２を集塵室１２内に確実に固定できる。【選択図】        図１
2004229967.tif 000002
【特許請求の範囲】
【請求項１】
電動送風機を収容した掃除機本体と、
この掃除機本体に設けられ、前記電動送風機の吸込側に連通する連通部を備えた集塵室と、
前記連通部を覆うように、前記電動送風機による吸込風と交差する方向に摺動させて着脱可能に取り付けられ、塵埃を捕捉するフィルタ体と
を具備したことを特徴とした電気掃除機。
【請求項２】
フィルタ体は、突起部を備え、
前記フィルタ体を連通部に取り付けた際に前記突起部が嵌合する凹部と、
この凹部の近傍に突出して設けられ、前記フィルタ体を連通部に取り付けた際に前記突起部が当接し誤装着を防止する当接部とを具備した
ことを特徴とした請求項１記載の電気掃除機。
【請求項３】
当接部は、集塵室の吸込側に連通される延長管および吸込口体のいずれか一方の少なくとも一部を収納時に掃除機本体の外側で保持可能な保持凹部の側壁の背面部である
ことを特徴とした請求項２記載の電気掃除機。
【発明の詳細な説明】
【０００１】
【発明の属する技術分野】
本発明は、塵埃を捕捉するフィルタ体を備えた電気掃除機に関する。
【０００２】
【従来の技術】
従来、この種の電気掃除機は、電動送風機を収容した掃除機本体を備えている。この掃除機本体内には、集塵パックを収容する集塵室が設けられている。この集塵室は、電動送風機の吸込側に連通する連通部としての連通孔を備えている。この連通孔には、格子状のリブが設けられている。また、この連通孔の下部には、凹部が設けられている。さらに、連通孔の集塵室側には、集塵パックを通過した電動送風機による吸込風に含まれる微細な塵埃を捕捉するフィルタ体が着脱可能に取り付けられている。このフィルタ体は、格子状の枠体と、この枠体に取り付けられたフィルタとを有している。またさらに、枠体の連通孔側の側面の上部には、係合爪部が一体に設けられている。そして、フィルタ体を連通孔の集塵室側に取り付ける際には、枠体の下端部を凹部に嵌合させた後、枠体の係合爪部を連通孔の格子状のリブに係止する（例えば、特許文献１参照。）。
【０００３】
【特許文献１】
特開平６−３２７５９５号公報（第３−４頁、図２）
【０００４】
【発明が解決しようとする課題】
しかしながら、上述の電気掃除機では、長期間に亘りフィルタ体の着脱を繰り返すと係合爪部が劣化し、フィルタ体を確実に固定することが容易でないという問題点を有している。
【０００５】
本発明はこのような点に鑑みなされたもので、フィルタ体を確実に固定できる電気掃除機を提供することを目的とする。
【０００６】
【課題を解決するための手段】
本発明は、電動送風機の吸込側に連通する連通部を備えた集塵室と、連通部を覆うように、電動送風機による吸込風と交差する方向に摺動させて取り付けられ、塵埃を捕捉するフィルタ体とを具備したものである。そして、電動送風機による吸込風と交差する方向にフィルタ体を摺動させて取り付けることにより、フィルタ体を繰り返し着脱させてもこのフィルタ体の固定が弱くなることがなく、フィルタ体を確実に固定できる。
【０００７】
【発明の実施の形態】
以下、本発明の電気掃除機の一実施の形態の構成を図１ないし図５を参照して説明する。
【０００８】
図４において、１はいわゆるキャニスタ型の電気掃除機である。この電気掃除機１は、中空な下部ケース体２、この下部ケース体２の上部に取り付けられた上部ケース体３、および、下部ケース体２の両側面に沿って取り付けられたバンパ４を有する掃除機本体としての本体ケース５を備えている。この上部ケース体３は、下部ケース体２の後側にねじ止めにて取り付けられた上部ケース体本体６と、この上部ケース体本体６の前側に上下方向に回動可能に取り付けられ、下部ケース体２の前側上部を開閉可能に覆う蓋体としての集塵蓋７とを有している。
【０００９】
また、本体ケース５の前側下部には、図３に示すように、旋回輪８が旋回自在かつ回転自在に取り付けられている。さらに、本体ケース５の後側両側部には、図３および図４に示すように、大径の走行輪９がそれぞれ前後方向に回転自在に取り付けられている。これら旋回輪８および走行輪９により、本体ケース５は被掃除面としての床面上を走行可能となっている。
【００１０】
そして、下部ケース体２内の底部には、図３に示すように、隔壁１１が一体に設けられ、本体ケース５内に集塵室１２、および、吸込用の電動送風機１３が収容された電動送風機室１４が、前後にそれぞれ区画形成されている。
【００１１】
また、下部ケース体２の前側には、本体吸込口１５が貫通して設けられ、集塵室１２に連通している。この本体吸込口１５の上方には、係合体１６が前後方向に回動可能に設けられている。この係合体１６は、本体吸込口１５の集塵室１２側の開口に取り付けられた集塵パック１７の上端部を着脱可能に保持してこの集塵パック１７を集塵室１２内に固定する。
【００１２】
集塵室１２の上端縁部には、例えばゴムなどの軟質の部材にて環状に形成されたシールパッキング２１が、例えば接着剤などで全周に亘って固定されている。このシールパッキング２１は、集塵蓋７で集塵室１２を閉塞した際に、これら集塵蓋７と集塵室１２との隙間を閉塞する。
【００１３】
また、集塵蓋７は、本体ケース５の前方に向けて下方に傾斜している。この集塵蓋７の上面には、図３および図４に示すように、例えば紫外線を透過させる透光性の樹脂などで形成され、本体ケース５を持ち運び可能にするハンドル部３１が例えば接着剤などで取り付けられている。さらに、集塵蓋７で集塵室１２を閉塞した際のこの集塵室１２の上部になる位置には、図３に示すように、窓部３２が貫通して設けられている。この窓部３２からは、ハンドル部３１の一部を介して集塵室１２の内部に本体ケース５の外部からの紫外線を含む光が導入される。
【００１４】
またさらに、窓部３２の下側には、上部フィルタ体３３が窓部３２に対向して着脱可能に取り付けられている。この上部フィルタ体３３は、格子状の上部枠体３４、および、この上部枠体３４に取り付けられた、例えば抗菌性および消臭性などを有する酸化チタンなどの光触媒を用いた上部フィルタ３５を有している。
【００１５】
そして、集塵蓋７の下部には、下方に向けて突出したリブ３６が設けられている。このリブ３６は、集塵蓋７の下部の周縁に沿って全周に亘って設けられている。このリブ３６は、集塵蓋７で集塵室１２を閉塞した際にシールパッキング２１の上部に当接する。
【００１６】
隔壁１１の本体ケース５の幅方向の一側寄りの位置には、図１に示すように、集塵室１２と電動送風機室１４とを互いに連通させる連通部としての円形状の連通孔４１が設けられている。この連通孔４１には、本体ケース５の上下方向に沿って複数の縦リブ４１ａが設けられている。これら縦リブ４１ａは、本体ケース５の幅方向に略等間隔に互いに平行に離間されている。また、これら縦リブ４１ａは、隔壁１１の上端部に取り付けられたシールパッキング２１の下方から、集塵室１２の底部に亘って設けられている。
【００１７】
さらに、連通孔４１には、縦リブ４１ａと略直交する方向に沿って複数、例えば２本の横リブ４１ｂが設けられている。これら横リブ４１ｂは、本体ケース５の上下方向に互いに略平行に離間されている。したがって、連通孔４１は、縦リブ４１ａと横リブ４１ｂとで格子状になっている。
【００１８】
そして、連通孔４１の集塵室１２側、すなわち前側には、集塵パック１７で捕捉できなかったさらに微細な細塵、あるいは集塵パック１７を集塵室１２内で着脱させた際に集塵室１２内に毀れて吸込風に混入した塵埃などを捕捉するフィルタ体４２が着脱可能に取り付けられる。このフィルタ体４２は、保持体としての枠体４３およびこの枠体４３に取り付けられたフィルタ４４を有し、連通孔４１を覆うように取り付けられている。
【００１９】
また、枠体４３は、図２に示すように、略矩形枠状の枠部４５と、この枠部４５内に例えば上下方向に沿って複数、例えば３本、幅方向に沿って複数、例えば５本の格子リブ４６を備えた略矩形格子枠状に形成されている。さらに、枠体４３の枠部４５の両側部には、側方突起部４７，４７が突出して設けられている。これら側方突起部４７，４７は、枠体４３の上下方向の中心部よりも上側に偏位して設けられており、上下方向に沿って水平方向に向けて突出している。
【００２０】
またさらに、枠体４３の枠部４５の下端部には、突起部４８が突出して設けられている。この突起部４８は、枠体４３の幅方向の中心域に、この枠体４３の幅方向に沿って下方向に向けて突出している。さらに、枠部４５の隔壁１１側には、フィルタ４４の周囲を保持する図示しない保持リブが複数設けられている。そして、枠体４３の上下方向に沿った格子リブ４６の幅方向の中心の上端部には、フィルタ体４２を着脱する際のつまみとなるつまみ部４９が一体に設けられている。
【００２１】
また、集塵室１２の連通孔４１の周囲には、図１に示すように、フィルタ体４２が着脱可能に固定される係止リブ部としてのフィルタ体固定部５１が突出して設けられている。このフィルタ体固定部５１は、枠体４３の幅寸法と略等しい距離、互いに離間された側部リブ５２，５２、および、集塵室１２の底部に側部リブ５２，５２の間に架け渡して設けられた底部リブ５３を備えている。側部リブ５２，５２は、上下方向に沿って本体ケース５の前側に向けて隔壁１１の集塵室１２側の側面から突出している。これら側部リブ５２，５２の上端部の隔壁１１側には、枠体４３の側方突起部４７，４７がそれぞれ嵌合する嵌合凹部５４，５４が切り欠き形成されている。このため、側部リブ５２，５２は、上端部が側面視でＬ字状に形成されている。
【００２２】
さらに、底部リブ５３は、集塵室１２の底部から本体ケース５の幅方向に沿って上方向に向けて突出しており、この底部リブ５３の上端部と嵌合凹部５４，５４との上下方向の距離は、枠体４３の枠部４５の下端部から側方突起部４７，４７の下端部までの距離と略一致している。そして、この底部リブ５３は、隔壁１１から前側に離間されている。このため、底部リブ５３と隔壁１１との間には、フィルタ体４２をフィルタ体固定部５１に取り付けた際に枠体４３の突起部４８が嵌合する凹部５５が設けられている。したがって、底部リブ５３の上方向への突出寸法は、突起部４８の突出寸法よりも大きく形成されている。言い換えると、凹部５５の深さ寸法は、突起部４８の突出寸法よりも大きく形成されている。
【００２３】
またさらに、下部ケース体２の外側の底部には、図１および図５に示すように、保持凹部としてのスタンド穴部５６が設けられている。このスタンド穴部５６は、集塵室１２の外側の底部に位置して集塵室１２内に突出しており、このスタンド穴部５６の集塵室１２側の側壁の背面部、すなわち裏側が当接部５７になっている。この当接部５７は、集塵室１２内で底部リブ５３の前側にこの底部リブ５３と直交する方向に沿って設けられている。また、この当接部５７の上端部は、底部リブ５３の上端部よりも下側に位置し、底部リブ５３の上端部から当接部５７の上端部までの距離は、突起部４８の突出寸法よりも小さく形成されている。
【００２４】
さらに、電動送風機室１４内において、図３に示すように、電動送風機１３は、図示しないパッキングなどが周囲に嵌着され、吸込側である負圧側が連通孔４１に対して気密に接続されている。すなわち、電動送風機１３は、負圧側が集塵室１２に連通している。言い換えると、集塵室１２は、電動送風機１３の負圧側に連通している。
【００２５】
また、電動送風機室１４内には、図示しない電源コードを巻回したコードリール、および、電源コードおよび電動送風機１３などと電気的に接続された図示しない回路基板なども収容されている。
【００２６】
さらに、電動送風機室１４の後部の電動送風機１３の後側には、複数の排気孔５８が貫通して設けられた排気パネル５９が、下部ケース体２と上部ケース体３との間に挟持されて取り付けられている。この排気パネル５９の各排気孔５８は、電動送風機１３の排気側である正圧側に連通されており、電動送風機１３から排気された排気風を本体ケース５の外部に排気させる。そして、バンパ４の電動送風機室１４側に位置した部分には、図４に示すように、複数の排気孔６０が貫通して設けられている。
【００２７】
一方、本体吸込口１５には、可撓性を有するホース体６１の基端が連通されて着脱可能に接続されている。このホース体６１の先端には、このホース体６１の基端側に向けて上側に突出した把持部６３が一体に設けられている。この把持部６３には、電動送風機１３などの動作モードを設定する複数の設定ボタン６４が設けられている。また、ホース体６１の先端側には、伸縮可能な接続管としての延長管６５が着脱可能に連通接続される。
【００２８】
この延長管６５は、この延長管６５の先端側に屈曲して突出した被嵌合部としてのスタンドストッパ６６を先端側の下部に備えている。このスタンドストッパ６６は、図５に示すように、スタンド穴部５６に嵌合可能である。言い換えると、スタンド穴部５６は、延長管６５の一部であるスタンドストッパ６６が嵌合されることで、電気掃除機１の収納時に延長管６５を本体ケース５の外側で保持可能である。そして、延長管６５の先端側には、吸込口体としての床ブラシ６７が着脱可能に連通接続されている。すなわち、延長管６５および床ブラシ６７は、ホース体６１、本体吸込口１５、集塵室１２および連通孔４１を介して電動送風機１３の吸込側に連通される。
【００２９】
次に、上記一実施の形態の動作を説明する。
【００３０】
まず、掃除をする際には、集塵蓋７を回動させて集塵室１２を開口させ、枠体４３にフィルタ４４を保持したフィルタ体４２を連通孔４１の集塵室１２側に取り付ける。
【００３１】
このとき、作業者は、フィルタ体４２のつまみ部４９をつまみ、フィルタ体固定部５１の側部リブ５２，５２の間にフィルタ体４２を上側から嵌合させ、これら側部リブ５２，５２に沿ってフィルタ体４２を連通孔４１の開口方向と交差する方向、すなわち電動送風機１３による吸込風と交差する方向である上側から下側に向けて、言い換えると縦リブ４１ａに沿って、摺動、すなわちスライドさせる。
【００３２】
ここで、フィルタ体４２の突起部４８が底部リブ５３の前側に出た際、すなわちフィルタ体４２の取り付けが不正確であった際には、突起部４８が当接部５７の上端部に当接してフィルタ体４２がフィルタ体固定部５１から浮き上がり、フィルタ体４２の誤装着を防止する。
【００３３】
したがって、フィルタ体４２の突起部４８を凹部５５に嵌合させてフィルタ体４２を正確に取り付けると、フィルタ体４２の枠部４５の側方突起部４７が側部リブ５２，５２の嵌合凹部５４，５４にそれぞれ嵌合して、フィルタ体４２が集塵室１２内に固定される。
【００３４】
さらに、集塵室１２内に集塵パック１７を取り付けた後、集塵蓋７を回動させて集塵室１２を閉塞するとともに、本体吸込口１５にホース体６１および延長管６５を介して床ブラシ６７を接続する。そして、設定ボタン６４を操作して電動送風機１３を駆動させ、ホース体６１の把持部６３を持って押動させて、床ブラシ６７を床面上で前後に走行させる。
【００３５】
このとき、電動送風機１３の駆動により発生する吸込力によって、床ブラシ６７の図示しない吸込口から空気とともに床面上の塵埃が吸い込まれる。
【００３６】
この後、床ブラシ６７の吸込口から塵埃とともに吸い込まれた空気は、延長管６５およびホース体６１を順次介して本体吸込口１５へと吸い込まれた後、集塵パック１７にて空気とともに吸い込んだ塵埃が捕捉されて集塵される。
【００３７】
そして、集塵パック１７を通過した吸込風は、集塵室１２内で上部フィルタ体３３により殺菌および消臭され、フィルタ体４２にてさらに微細な塵埃を捕捉されて連通孔４１および電動送風機１３を通過して排気風となり、排気孔５８，６０から本体ケース５の外部へと排気される。
【００３８】
また、フィルタ体４２のフィルタ４４が目詰まりした際には、集塵蓋７を回動させて集塵室１２を開口させ、フィルタ体４２のつまみ部４９をつまんで集塵室１２内からフィルタ体４２を上側に向けてスライドさせて取り外し、フィルタ４４を交換、あるいは洗浄した後、再度フィルタ体４２を集塵室１２内に取り付ける。
【００３９】
さらに、掃除が終了した際には、図５に示すように、ハンドル部３１を上方に起こして本体ケース５の後側を床面に対向させ、延長管６５の長さを縮めた状態でスタンド穴部５６に延長管６５のスタンドストッパ６６を嵌合させて、スタンド穴部５６で延長管６５を本体ケース５の外側で保持した状態で電気掃除機１を収納する。
【００４０】
上述したように、上記一実施の形態によれば、連通孔４１の集塵室１２側にフィルタ体４２を上側から下側に向けてスライドさせて取り付けることで、連通孔４１に弾性力で係合させていた従来の爪部のような、繰り返し着脱させた際に弾性変形、あるいは経年変化などにより弱くなる部分がないから、フィルタ４４の目詰まりなどによりフィルタ体４２を繰り返し着脱させても、フィルタ体４２の枠体４３などが劣化することを抑制できる。
【００４１】
このため、フィルタ体４２のフィルタ体固定部５１への固定が弱くなることがなく、フィルタ体４２を確実に固定できる。
【００４２】
また、本体ケース５の上下方向に沿った縦リブ４１ａを連通孔４１に設けたことにより、フィルタ体４２をフィルタ体固定部５１に取り付ける際にフィルタ体４２の枠部４５が縦リブ４１ａに沿って線接触するため、縦リブ４１ａがフィルタ体４２の取り付けを妨げることがなく、容易にフィルタ体固定部５１に取り付けできる。
【００４３】
また、フィルタ体４２の枠部４３の下端部に突起部４８を突出させ、集塵室１２内に設けた凹部５５に嵌合させることで、フィルタ体４２をより確実に集塵室１２内に固定できるとともに、フィルタ体４２を正確に取り付けできなかった場合には、凹部５５に隣接させて設けた当接部５７に突起部４８が接触してフィルタ体４２がフィルタ体固定部５１から浮くため、フィルタ体４２の取り付けが正確であるかどうかを容易に目視確認でき、フィルタ体４２を誤装着した状態で電気掃除機１を使用することを防止できる。
【００４４】
さらに、フィルタ体４２の枠部４５の両側部に側方突起部４７，４７を突出させ、これら側方突起部４７，４７を側部リブ５２，５２の嵌合凹部５４，５４にそれぞれ嵌合させることで、突起部４８とともに３点でフィルタ体４２をフィルタ体固定部５１に固定でき、フィルタ体４２を集塵室１２内に、より確実に固定できる。
【００４５】
したがって、フィルタ体４２と連通孔４１との間に隙間ができることを確実に防止し、集塵室１２内の塵埃をフィルタ体４２にて確実に捕捉でき、これら塵埃が電動送風機１３内に入り込んでこの電動送風機１３に不具合が生じることを確実に防止できる。
【００４６】
そして、当接部５７は、延長管６５のスタンドストッパ６６を保持して電動送風機１を省スペース化した状態で収納可能にするスタンド穴部５６の背面部を利用しているから、当接部５７を別途設ける必要がなく、製造性がより向上するとともに、集塵室１２内に不必要に突出部を形成してこの集塵室１２が狭くなることを防止できる。
【００４７】
また、つまみ部４９を格子リブ４６に設けたことにより、作業者がこのつまみ部４９をつまむことでフィルタ体４２をより容易に着脱できる。
【００４８】
なお、上記一実施の形態において、キャニスタ型の電気掃除機に限らず、床ブラシ６７が本体ケース５の下面に直接形成されたアップライト型、その他、本体ケース５と床ブラシ６７とが一体化された自走式の電気掃除機あるいはハンディ型などであっても対応させて用いることができる。
【００４９】
また、突起部４８は、例えば図６に示すように、突出寸法を小さく形成するなど、凹部５５の深さ寸法などに応じて突出寸法を任意に設定可能である。
【００５０】
さらに、側方突起部４７，４７を設ける位置は、フィルタ体固定部５１の形状などに応じて任意に設定可能である。
【００５１】
またさらに、フィルタ体４２の取り付け方向は、通常の掃除状態で床面上に設置した本体ケース５の上下方向に限定されるものではなく、集塵室１２の大きさとフィルタ体４２の大きさとの関係、あるいは集塵室１２の開口方向、すなわち集塵蓋７の回動方向などに応じて任意に設定可能である。
【００５２】
そして、スタンドストッパ６６は、床ブラシ６７における延長管６５の接続部の近傍に設けてもよい。
【００５３】
また、電気掃除機１の細部の構成は、上記一実施の形態の構成に限定されるものではない。
【００５４】
【発明の効果】
本発明によれば、電動送風機による吸込風と交差する方向にフィルタ体を摺動させて取り付けることにより、フィルタ体を繰り返し着脱させてもこのフィルタ体の固定が弱くなることがなく、フィルタ体を確実に固定できる。
【図面の簡単な説明】
【図１】本発明の電気掃除機の一実施の形態の一部を示す斜視図である。
【図２】同上電気掃除機のフィルタ体を示す平面図である。
【図３】同上電気掃除機を示す断面図である。
【図４】同上電気掃除機を示す斜視図である。
【図５】同上電気掃除機の収納状態を示す斜視図である。
【図６】同上電気掃除機の他のフィルタ体の例を示す平面図である。
【符号の説明】
１    電気掃除機
５    掃除機本体としての本体ケース
１２    集塵室
１３    電動送風機
４１    連通部としての連通孔
４２    フィルタ体
４８    突起部
５５    凹部
５６    保持凹部としてのスタンド穴部
５７    当接部
６５    延長管
６７    吸込口体としての床ブラシ
【図１】
2004229967.tif 000003
【図２】
2004229967.tif 000004
【図３】
2004229967.tif 000005
【図４】
2004229967.tif 000006
【図５】
2004229967.tif 000007
【図６】
2004229967.tif 000008